(57)【要約】【課題】音声による読み上げを可能としつつ、全体として消費電力を低減すること。【解決手段】表示対象である情報を電子ペーパ表示体１１に描画するための処理を行う描画回路を生成し、その描画回路による前記情報に対する処理が終了すると描画回路を消滅させ、その描画回路の消滅後に前記情報を音声で読み上げるための処理を行う音声復号・再生回路を生成し、その音声復号・再生回路による前記情報の音声による読み上げが終了すると音声復号・再生回路を消滅させるようにした（最小構成で動作させるようにした）。そのため、前記情報を音声で読み上げる処理を行わないとき、つまり、前記情報を電子ペーパに描画する処理を行っているときには音声復号・再生回路は存在せず、音声復号・再生回路によって電力が消費されず、その結果、音声による読み上げを可能としつつ、全体として消費電力を低減することができる。【選択図】図１
2007286545.tif 000002
【特許請求の範囲】
【請求項１】
表示対象である情報を所定の表示体に表示する情報表示装置であって、
回路内容を動的に再構成可能な集積回路を備え、
前記集積回路は、前記情報を前記表示体に描画するための処理を行う描画回路を生成する描画回路生成手段と、その描画回路による前記情報に対する処理が終了すると前記描画回路を消滅させる描画回路消滅手段と、その描画回路の消滅後に前記情報を音声で読み上げるための処理を行う読み上げ回路を生成する読み上げ回路生成手段と、その読み上げ回路による前記情報の音声による読み上げが終了すると前記読み上げ回路を消滅させる読み上げ回路消滅手段と、を備えたことを特徴とする情報表示装置。
【請求項２】
前記表示体は、表示内容の書き換え時にのみ電力を消費する記憶性表示体であることを特徴とする請求項１に記載の情報表示装置。
【請求項３】
前記描画回路生成手段は、描画する情報の種類に基づいて前記描画回路を生成することを特徴とする請求項１又は２に記載の情報表示装置。
【請求項４】
表示対象である情報を所定の表示体に表示する情報表示方法であって、
回路内容を動的に再構成可能な集積回路に、前記情報を前記表示体に描画するための処理を行う描画回路を生成させ、その描画回路による前記情報に対する処理が終了すると前記描画回路を消滅させ、その描画回路の消滅後に前記情報を音声で読み上げるための処理を行う読み上げ回路を生成させ、その読み上げ回路による前記情報の音声による読み上げが終了すると前記読み上げ回路を消滅させることを特徴とする情報表示方法。
【請求項５】
表示対象である情報を所定の表示体に表示する情報表示プログラムであって、
回路内容を動的に再構成可能な集積回路に、前記情報を前記表示体に描画するための処理を行う描画回路を生成する描画回路生成機能と、その描画回路による前記情報に対する処理が終了すると前記描画回路を消滅させる描画回路消滅機能と、その描画回路の消滅後に前記情報を音声で読み上げるための処理を行う読み上げ回路を生成する読み上げ回路生成機能と、その読み上げ回路による前記情報の音声による読み上げが終了すると前記読み上げ回路を消滅させる読み上げ回路消滅機能と、を実行させることを特徴とする情報表示プログラム。
【発明の詳細な説明】
【技術分野】
【０００１】
本発明は、表示対象である情報を所定の表示体に表示する情報表示装置、情報表示方法及び情報表示プログラムに関する。
【背景技術】
【０００２】
従来、この種の情報表示装置としては、例えば、書籍等のコンテンツ情報を、コレステリック液晶等の記憶性表示体に表示させるものがある（例えば、特許文献１参照）。 
また、このような情報表示装置にあっては、例えば、記憶性表示体に表示されている情報を音声で読み上げるための処理を行う読み上げ機能があるものやコンテンツのファイルフォーマットの種類によっては、圧縮文書の復号処理やテキスト文書のフォントの描画処理が必要なものがある。これらの処理には高速な演算処理が必要になり、SW処理では十分な速度が得られない可能性があるため、ＤＳＰ(digital signal processor)や専用処理ＩＣ(integrated circuit)回路を備えるものもある。
【特許文献１】特開２００４−１３９３９９号公報
【発明の開示】
【発明が解決しようとする課題】
【０００３】
しかしながら、上記従来の情報表示装置のうち読み上げ機能や、圧縮文書の復号機能、フォント描画機能の処理を行うために、ＤＳＰや専用ＩＣによる回路を設けたものは、当該回路によって電力が消費されるため、全体として消費電力が増大する恐れがあった。
本発明は、上記従来の情報表示装置の未解決の問題点を解決することを課題とするものであって、表示中の情報の音声による読み上げを可能としつつ、消費電力を低減可能な情報表示装置、情報表示方法及び情報表示プログラムを提供することを課題とする。
【課題を解決するための手段】
【０００４】
上記課題を解決するために、本発明の情報表示装置は、表示対象である情報を所定の表示体に表示する情報表示装置であって、回路内容を動的に再構成可能な集積回路を備え、前記集積回路は、前記情報を前記表示体に描画するための処理を行う描画回路を生成する描画回路生成手段と、その描画回路による前記情報に対する処理が終了すると前記描画回路を消滅させる描画回路消滅手段と、その描画回路の消滅後に前記情報を音声で読み上げるための処理を行う読み上げ回路を生成する読み上げ回路生成手段と、その読み上げ回路による前記情報の音声による読み上げが終了すると前記読み上げ回路を消滅させる読み上げ回路消滅手段と、を備えたことを特徴とする。
【０００５】
また、前記表示体は、表示内容の書き換え時にのみ電力を消費する記憶性表示体であってもよい。
さらに、前記描画回路生成手段は、描画する情報の種類に基づいて前記描画回路を生成してもよい。
一方、本発明の情報表示方法は、表示対象である情報を所定の表示体に表示する情報表示方法であって、回路内容を動的に再構成可能な集積回路に、前記情報を前記表示体に描画するための処理を行う描画回路を生成させ、その描画回路による前記情報に対する処理が終了すると前記描画回路を消滅させ、その描画回路の消滅後に前記情報を音声で読み上げるための処理を行う読み上げ回路を生成させ、その読み上げ回路による前記情報の音声による読み上げが終了すると前記読み上げ回路を消滅させることを特徴とする。
【０００６】
また、本発明の情報表示プログラムは、表示対象である情報を所定の表示体に表示する情報表示プログラムであって、回路内容を動的に再構成可能な集積回路に、前記情報を前記表示体に描画するための処理を行う描画回路を生成する描画回路生成機能と、その描画回路による前記情報に対する処理が終了すると前記描画回路を消滅させる描画回路消滅機能と、その描画回路の消滅後に前記情報を音声で読み上げるための処理を行う読み上げ回路を生成する読み上げ回路生成機能と、その読み上げ回路による前記情報の音声による読み上げが終了すると前記読み上げ回路を消滅させる読み上げ回路消滅機能と、を実行させることを特徴とする。
【０００７】
このような構成によれば、表示している情報を音声で読み上げる処理を行わないときには読み上げ回路は生成されず、読み上げ回路によって電力が消費されないため、音声による読み上げを可能としつつ、全体として消費電力を低減することができる。
【発明を実施するための最良の形態】
【０００８】
以下、本発明の情報表示装置の一実施形態を図面に基づいて説明する。
＜情報表示装置の構成＞
図１は、本実施形の情報表示装置の内部構成を示すブロック図である。この図１に示すように、情報表示装置１は、外部入力装置２、外部記憶装置３、ＦＬＡＳＨＲＯＭ(flash read only memory)４、ＲＡＭ(read only memory)５、ＭＰＵ(micro processing unit)６、動的再構成可能ＬＳＩ(large scale integration)７、ＶＲＡＭ(video RAM)８、電子ペーパ表示体コントローラ９、ドライバ１０及び電子ペーパ表示体１１を含んで構成される。
【０００９】
外部入力装置２は、表示対象である情報を電子ペーパ表示体１１に切り換え表示させる操作がされると、切り換え表示を開始させる指示（ページ切り換え指示）を動的再構成可能ＬＳＩ７に出力する。
外部記憶装置３は、表示体となり得る各種情報、及び当該情報に対応づけられている音声データ（当該情報の内容の音声データ）を格納している。
【００１０】
ＦＬＡＳＨＲＯＭ４は、ＭＰＵ６により実行される基本制御プログラムやアプリケーションプログラム等の各種プログラム及びこれら各種プログラムに係るデータを格納する。
ＲＡＭ５は、ＭＰＵ６がプログラムを実行するときに各種プログラムを展開するワークエリアを形成するとともに、ＭＰＵ６により実行される各種プログラムに係るデータを記憶するメモリ領域を形成する。
【００１１】
ＭＰＵ６は、ＦＬＡＳＨＲＯＭ４に格納されている各種プログラムを読み込み、それらをＲＡＭ５内に形成されるワークエリアに展開して各部２〜１１を制御する。
動的再構成可能ＬＳＩ７は、アレイ状に配列されて互いにバスで接続された複数の可変型の演算器を備えている。そして、動的再構成可能ＬＳＩ７は、動的処理タスクとデータの流れとを分解し、コンフィギュレーション情報としてそれぞれ演算器とバスとに割付けることにより動的にＨＷ回路を構成する（１クロックで回路内容を動的に再構する）。
【００１２】
具体的には、動的再構成可能ＬＳＩ７は、外部入力装置２からページ切り換え指示が出力されると、表示対象である情報を電子ペーパ表示体１１に描画するためのビットマップ画像をＶＲＡＭ８に格納する処理を行う描画回路の生成処理を実行する。
また、動的再構成可能ＬＳＩ７は、電子ペーパ表示体１１で切り換え表示が行われた後、切り換え表示された情報に対応づけられている音声データがあると、その音声データを再生するための処理を行う音声復号・再生回路の生成処理を実行する。
ＶＲＡＭ８は、動的再構成可能ＬＳＩ７で生成された描画回路による各種処理の処理結果（ビットマップ画像）を格納する。
【００１３】
電子ペーパ表示体コントローラ９は、ＶＲＡＭ８にビットマップ画像が格納されると、そのビットマップ画像を描画させる制御信号をドライバ１０に出力する。
ドライバ１０は、電子ペーパ表示コントローラ９から制御信号が出力されると、その制御信号に対応するビットマップ画像を電子ペーパ表示体１１に描画する。
電子ペーパ表示体１１は、表示内容の書き換え時にのみ電力を消費する（表示内容の維持には電力を消費しない）記憶性表示体である。
【００１４】
＜動的再構成可能ＬＳＩの動作＞
次に、動的再構成可能ＬＳＩ７で実行される描画回路の生成処理を図２のフローチャートに基づいて説明する。この描画回路の生成処理は、外部入力７からページ切り替え指示が出力されると実行される処理であって、まず、そのステップＳ１０１で、そのページ切り換え指示が切り換えを指示する情報を外部記憶装置３から読み出す。
【００１５】
次にステップＳ１０２に移行して、前記ステップＳ１０１で読み出された情報のフォーマット・属性（例えば、前記情報がビットマップ画像であるか、或いは圧縮データであるか）を分析する。
次にステップＳ１０３に移行して、前記ステップＳ１０２の分析結果に基づいて描画回路（前記情報に各種処理を行ってＶＲＡＭ８に格納する回路）を生成する。
【００１６】
具体的には、前記ステップＳ１０２で前記情報がビットマップ画像であると判定された場合には、図３に示すように、ガンマ変換回路１２やアンチエイリアス回路部１３等のビットマップ画像の画像処理回路部のみを有する描画回路を生成する。すなわち、演算器を多数使用する圧縮データの復号回路等を持たない、消費電力の低い描画回路を生成する。
また、前記ステップＳ１０２で前記情報が圧縮データであると判定された場合には、図４に示すように、ガンマ変換回路１２やアンチエイリアス回路部１３に加えて、文書データ復号部１４等の圧縮データの復号回路部を有する描画回路を生成する。なお、図５は、さらにフォント描画回路部（フォント描画部１５）が必要な場合の構成である。
【００１７】
次にステップＳ１０４に移行して、前記ステップＳ１０３で生成された描画回路による前記ステップＳ１０１で読み出された情報に対する各種処理が終了したか否かを判定する。そして、終了した場合には（Ｙｅｓ）ステップＳ１０５に移行し、終了していない場合には（Ｎｏ）この判定を繰り返し実行する。
前記ステップＳ１０５では、前記ステップＳ１０３で生成された描画回路を消滅させてから、この演算処理を終了する。
【００１８】
次に、動的再構成可能ＬＳＩ７で実行される音声復号・再生回路の生成処理を図６のフローチャートに基づいて説明する。この音声復号・再生回路の生成処理は、電子ペーパ表示体１１で切り換え表示が行われた後、切り換え表示された情報に音声データが対応づけられている場合に実行される処理であって、まず、そのステップＳ２０１で、その音声データを外部入力装置３から読み出す。
次にステップＳ２０２に移行して、図７に示すように、前記ステップＳ２０１で読み出された音声データを復号して再生する回路（音声復号・再生回路、音声データ復号・再生部１６）を生成する。
【００１９】
次にステップＳ２０３に移行して、前記ステップＳ２０２で生成された音声復号・再生回路による前記ステップＳ２０１で読み出された音声データに対する復号及び再生処理が終了したか否かを判定する。そして、終了した場合には（Ｙｅｓ）ステップＳ２０４に移行し、終了していない場合には（Ｎｏ）この判定を繰り返し実行する。
前記ステップＳ２０４では、前記ステップＳ２０２で生成された音声復号・再生回路を消滅させてから、この演算処理を終了する。
【００２０】
＜情報表示装置の具体的動作＞
次に、本実施形態の情報表示装置１の動作を具体的状況に基づいて説明する。
まず、利用者が情報を切り換え表示させる操作をし、外部入力装置２によって、外部入力７からＭＰＵ６及び動的再構成可能ＬＳＩ７にページ切り替え指示が出されたとする。すると、動的再構成可能ＬＳＩ７によって、描画回路の生成処理が実行され、図２に示すように、まず、そのステップＳ１０１で、前記情報が外部記憶装置３から読み出される。
【００２１】
また、ステップＳ１０２で、その読み出された情報のフォーマット・属性が分析され、その情報がビットマップ画像であると判定されたとすると、ステップＳ１０３で、図３に示すように、ガンマ変換回路１２やアンチエイリアス回路部１３等のビットマップ画像の画像処理回路部のみを有する描画回路が生成される（図８の時刻ｔ１）。
また、その描画回路で前記情報に対する各種処理が順次行われ、その処理結果が全てＶＲＡＭ８に格納されると、ステップＳ１０４の判定が「Ｙｅｓ」となり、ステップＳ１０５で、前記描画回路が消滅された後（図８の時刻ｔ２）、この演算処理を終了する（動的再構成可能ＬＳＩ７による消費電力が略０となる）。
【００２２】
さらに、電子ペーパ表示体コントローラ９によって、ＶＲＡＭ８からビットマップ画像が読み出され、そのビットマップ画像を描画させる制御信号がドライバ１０に出力され、ドライバ１０よって、そのビットマップ画像が電子ペーパ表示体１１に描画される。
また、電子ペーパ表示体１１に描画された情報に音声データが対応づけられていたとする。すると、図６に示すように、まず、そのステップＳ２０１で、その音声データが外部入力装置３から読み出され、ステップＳ２０２で、図７に示すように、音声復号・再生回路（音声データ復号・再生部１６）が生成される（図８の時刻ｔ３）。
【００２３】
また、その音声復号・再生回路で前記音声データの復号及び再生が行われたとする。すると、ステップＳ２０３の判定が「Ｙｅｓ」となり、ステップＳ２０４で、前記音声復号・再生回路が消滅された後（図８の時刻ｔ４）、この演算処理を終了する（動的再構成可能ＬＳＩ７による消費電力が略０となる）。
【００２４】
このように、本実施形態の情報表示装置にあっては、表示対象である情報を電子ペーパ表示体１１に描画するための処理を行う描画回路を生成し、その描画回路による前記情報に対する処理が終了すると描画回路を消滅させ、その描画回路の消滅後に前記情報を音声で読み上げるための処理を行う音声復号・再生回路を生成し、その音声復号・再生回路による前記情報の音声による読み上げが終了すると音声復号・再生回路を消滅させるようにした。すなわち、必要な演算回路を必要なときだけ生成して動作させる（最小構成で動作させる）ようにしたため、前記情報を音声で読み上げる処理を行わないとき、つまり、前記情報を電子ペーパに描画する処理を行っているときには音声復号・再生回路は存在せず、音声復号・再生回路によって電力が消費されず、その結果、音声による読み上げを可能としつつ、全体として消費電力を低減することができる。
【００２５】
なお、上記実施形態では、図１の動的再往性可能ＬＳＩ７が特許請求の範囲に記載の集積回路を構成し、以下同様に、図２のステップＳ１０３が描画回路生成手段を構成し、図２のステップＳ１０５が描画回路消滅手段を構成し、図６のステップＳ２０２が読み上げ回路生成手段を構成し、図６のステップＳ２０４が読み上げ回路消滅手段を構成する。
なお、本発明の情報表示装置、情報表示方法及び情報表示プログラムは、上記実施の形態の内容に限定されるものではなく、本発明の趣旨を逸脱しない範囲で適宜変更可能である。
【図面の簡単な説明】
【００２６】
【図１】本発明の情報表示装置の一実施形態の内部構成を示すブロック図である。
【図２】描画回路の生成処理のフローを示すフローチャートである。
【図３】描画回路の概略構成を示す構成図である。
【図４】描画回路の概略構成を示す構成図である。
【図５】描画回路の概略構成を示す構成図である。
【図６】音声復号・再生回路の生成処理のフローを示すフローチャートである。
【図７】音声復号・再生回路の概略構成を示す構成図である。
【図８】情報表示装置の動作を説明するための説明図である。
【符号の説明】
【００２７】
１は情報表示装置、２は外部入力、３は外部記憶装置、４はＦＬＡＳＨＲＯＭ、５はＲＡＭ、６はＭＰＵ、７は動的再構成可能ＬＳＩ、８はＶＲＡＭ、９は電子ペーパ表示体コントローラ、１０はドライバ、１１は電子ペーパ表示体、１２はガンマ変換部、１３はアンチエイリアス部、１４は文書データ復号部、１５はフォント描画部、１６は音声データ復号・再生部
【図１】
2007286545.tif 000003
【図２】
2007286545.tif 000004
【図３】
2007286545.tif 000005
【図４】
2007286545.tif 000006
【図５】
2007286545.tif 000007
【図６】
2007286545.tif 000008
【図７】
2007286545.tif 000009
【図８】
2007286545.tif 000010